(57)【要約】【課題】バックライトの光源として複数の発光ダイオードを間隔をおいて配置しても、複数の発光ダイオードの近傍における導光板の出射面からの出射光量をなるべく均一にする。【解決手段】導光板１２の入射面１４と対向する位置には３つの発光ダイオード１６が所定の間隔をおいて配置されている。３つの発光ダイオード１６およびその近傍の導光板１２の出射面１３は、図示の都合上、分解されている第２の反射シート１８によって覆われている。第２の反射シート１８の３つの発光ダイオード１６およびその近傍の導光板１２と対向する面において、各発光ダイオード１６に対応する領域は、発光ダイオード１６間に対応する領域よりも低反射率の低反射面１９とされている。これにより、３つの発光ダイオード１６の近傍における導光板１２の出射面１３からの出射光量をなるべく均一にすることができる。【選択図】        図３
2004296372.tif 000002
【特許請求の範囲】
【請求項１】
表示パネルと対向する面を出射面とされた導光板と、該導光板の出射面側とは反対側に設けられた第１の反射シートと、前記導光板の一端面からなる入射面と対向する位置に該入射面の長さ方向に所定の間隔をおいて配置された複数の点光源と、該複数の点光源およびその近傍の前記導光板の出射面を覆うように設けられた第２の反射シートとを備え、前記第１の反射シートまたは前記第２の反射シートの少なくとも一方は、前記各点光源に対応する領域に前記点光源間に対応する領域よりも低反射率の低反射面が形成されていることを特徴とする表示装置用バックライト。
【請求項２】
請求項１に記載の発明において、前記低反射面は、前記第１の反射シートおよび前記第２の反射シートの両方に形成されていることを特徴とする表示装置用バックライト。
【請求項３】
請求項１または２に記載の発明において、前記低反射面は、前記第１または第２の反射シートに貼り付けられた低反射テープからなることを特徴とする表示装置用バックライト。
【請求項４】
請求項１または２に記載の発明において、前記低反射面は、前記第１または第２の反射シートに塗布された低反射材料層からなることを特徴とする表示装置用バックライト。
【請求項５】
請求項１または２に記載の発明において、前記点光源は発光ダイオードであることを特徴とする表示装置用バックライト。
【発明の詳細な説明】
【０００１】
【発明の属する技術分野】
この発明は表示装置用バックライトに関する。
【０００２】
【従来の技術】
従来の液晶表示装置用バックライトには、液晶表示パネルの表示面側とは反対側に液晶表示パネルと対向する面を出射面とされた導光板が設けられ、導光板の出射面側とは反対側に反射シートが設けられ、導光板の一端面からなる入射面と対向する位置に冷陰極管が設けられたものがある（例えば、特許文献１参照）。この場合、液晶表示パネル全体への入射光量を制御するために、導光板の出射面側とは反対側の面に冷陰極管から遠ざかるほど面積が大きくなる反射ドットパターンが形成されている。
【０００３】
【特許文献１】
特開平５−１８８３７３号公報
【０００４】
【発明が解決しようとする課題】
ところで、線光源である冷陰極管の代わりに、点光源である発光ダイオードを複数間隔をおいて配置する場合、発光ダイオード間の近傍における導光板の出射面からの出射光量が各発光ダイオードの近傍における導光板の出射面からの出射光量よりも少なくなるため、発光ダイオード間の近傍における液晶表示パネルの表示面が各発光ダイオードの近傍における液晶表示パネルの表示面よりも暗くなり、複数の発光ダイオードの近傍における液晶表示パネルの表示面の明るさにむらが生じてしまう。
そこで、この発明は、発光ダイオードなどからなる点光源を複数間隔をおいて配置しても、複数の点光源の近傍における導光板の出射面からの出射光量をなるべく均一にすることができる表示装置用バックライトを提供することを目的とする。
【０００５】
【課題を解決するための手段】
請求項１に記載の発明は、表示パネルと対向する面を出射面とされた導光板と、該導光板の出射面側とは反対側に設けられた第１の反射シートと、前記導光板の一端面からなる入射面と対向する位置に該入射面の長さ方向に所定の間隔をおいて配置された複数の点光源と、該複数の点光源およびその近傍の前記導光板の出射面を覆うように設けられた第２の反射シートとを備え、前記第１の反射シートまたは前記第２の反射シートの少なくとも一方は、前記各点光源に対応する領域に前記点光源間に対応する領域よりも低反射率の低反射面が形成されていることを特徴とするものである。
請求項２に記載の発明は、請求項１に記載の発明において、前記低反射面は、前記第１の反射シートおよび前記第２の反射シートの両方に形成されていることを特徴とするものである。
請求項３に記載の発明は、請求項１または２に記載の発明において、前記低反射面は、前記第１または第２の反射シートに貼り付けられた低反射テープからなることを特徴とするものである。
請求項４に記載の発明は、請求項１または２に記載の発明において、前記低反射面は、前記第１または第２の反射シートに塗布された低反射材料層からなることを特徴とするものである。
請求項５に記載の発明は、請求項１または２に記載の発明において、前記点光源は発光ダイオードであることを特徴とするものである。
そして、この発明によれば、導光板の出射面側とは反対側に設けられた第１の反射シートまたは複数の点光源およびその近傍の導光板の出射面を覆うように設けられた第２の反射シートの少なくとも一方の各点光源に対応する領域に点光源間に対応する領域よりも低反射率の低反射面を形成しているので、複数の点光源を間隔をおいて配置しても、複数の点光源の近傍における導光板の出射面からの出射光量をなるべく均一にすることができる。
【０００６】
【発明の実施の形態】
図１はこの発明の一実施形態としての液晶表示装置の要部の側面図を示し、図２はそのバックライトの平面図を示し、図３は同バックライトの一部の分解平面図を示したものである。この液晶表示装置は、液晶表示パネル１と、液晶表示パネル１の表示面側とは反対側に配置されたバックライト１１とを備えている。
【０００７】
液晶表示パネル１は、表示面側の第１のガラス基板２とその反対側の第２のガラス基板３とがほぼ方形枠状のシール材（図示せず）を介して貼り合わされ、両ガラス基板２、３とシール材とにより囲まれた領域に液晶（図示せず）が封入され、第１のガラス基板２の外面に第１の偏光板４が貼り付けられ、第２のガラス基板３の外面に第２の偏光板５が貼り付けられた構造となっている。
【０００８】
バックライト１１は、液晶表示パネル１の表示面側とは反対側に設けられた導光板１２を備えている。導光板１２は、平面方形状の透明板からなり、液晶表示パネル１と対向する面を出射面１３とされ、所定の一端面を入射面１４とされた構造となっている。導光板１２の出射面１３とは反対側の面には第１の反射シート１５が貼り付けられている。第１の反射シート１５は、樹脂または金属等からなるシートの表面に、アルミニウム、銀等の高反射率の金属をスパッタ等により被着したものである。
【０００９】
導光板１２の入射面１４と対向する位置には複数の例えば３つの発光ダイオード（点光源）１６が当該入射面１４の長さ方向に所定の間隔をおいて配置されている。３つの発光ダイオード１６は帯状のフレキシブル配線板１７上の各所定の箇所に搭載されている。３つの発光ダイオード１６およびその近傍の導光板１２の液晶表示パネル１側には第２の反射シート１８が設けられている。第２の反射シート１８の導光板１２の出射面１３を覆う部分は当該出射面１３に貼り付けられており、各発光ダイオード１６と液晶表示パネル１の表示領域に達するまでの間を覆う長さとされている。
【００１０】
第２の反射シート１８の３つの発光ダイオード１６およびその近傍の導光板１２と対向する面において、各発光ダイオード１６に対応する領域は、発光ダイオード１６間に対応する領域よりも低反射率の低反射面１９とされている。すなわち、第２の反射シート１８は、樹脂または金属等からなるシートの表面に、アルミニウム、銀等の高反射率の金属をスパッタ等により被着して表面全体に高反射面を形成し、図３に図示される如く、各発光ダイオード１６に対応する領域において、各発光ダイオード１６間で高反射面が露出するように所定の幅で全長に亘り低反射面１９を形成したものである。
【００１１】
低反射面１９は、各発光ダイオード１６が導光板１２を透過する光軸に沿って形成されるものであり、この実施形態の場合には、導光板１２の入射面１４と垂直な方向に対応して形成されている。低反射面１９は、アルミニウムや銀等より反射率の低い材料、例えば、ニッケル、銅、錫等をスパッタ等により形成するか、あるいは、高反射面に黒インク等遮光性の材料を、印刷法等の適宜な方法により、ドット状或いはストライプ状に設ければよい。この場合、上記の如き、低反射材料或いは遮光材料が形成されたシートを貼り付けてもよい。
【００１２】
３つの発光ダイオード１６の近傍における第１の反射シート１５の導光板１２と対向する面において、各発光ダイオード１６の光軸に対応する所定の幅の領域には、各発光ダイオード１６間で高反射面が露出するように発光ダイオード１６間に対応する領域よりも低反射率の低反射面２０とされている。この場合の低反射面２０も、第２の反射シート１８の低反射面１９と同様、高反射面上に低反射材料或いは遮光材料を直接形成するか、或いは低反射シートを貼り付ければよい。低反射面の長さは、図３に図示される如く、各発光ダイオード１６と液晶表示パネル１の表示領域に達するまでの間を覆う長さとされている。
【００１３】
さて、上記構成のバックライト１１の３つの発光ダイオード１６が点灯すると、３つの発光ダイオード１６から出た光は、各々に対向して配置された導光板１２の入射面１４に入射される。この入射光は、代表として、図３において矢印Ａ、Ｂ、Ｃで示すように、導光板１２内を進行する。
【００１４】
図３において矢印Ａ、Ｂ、Ｃで示す光が、図４において例えば矢印Ｄで示すように、導光板１２の出射面１３に対して比較的低角度で斜め下方に向かう場合には、導光板１２内を比較的長い距離進行し、第１の反射シート１５で反射されて出射面１３から出射される。したがって、このような光は、出射面１３からほぼ均一に出射される。
【００１５】
これに対し、図３において矢印Ａ、Ｂ、Ｃで示す光が、図４において例えば矢印Ｅで示すように、導光板１２の出射面１３に対して比較的高角度で斜め上方に向かう場合には、第２の反射シート１８で反射され、次いで第１の反射シート１５で反射され、第２の反射シート１８の近傍における出射面１３から出射される。
【００１６】
この場合、図３において矢印Ａで示す光は、入射面１４の法線方向であるので、実際には、第２の反射シート１８の低反射面１９で反射され、次いで第１の反射シート１５の低反射面２０で反射され、その光量が減少する。一方、図３において矢印Ｂ、Ｃで示す光は、入射面１４に対してある程度傾斜しているので、第２の反射シート１８で１００％反射され、次いで第１の反射シート１５で１００％反射され、その光量が減少することはない。
【００１７】
したがって、３つの発光ダイオード１６の近傍における導光板１２の出射面１３からの出射光量をなるべく均一にすることができ、ひいては３つの発光ダイオード１６の近傍における液晶表示パネル１の表示面の明るさをなるべく均一にすることができる。
【００１８】
また、図３において矢印Ａ、Ｂ、Ｃで示す光が、図４において例えば矢印Ｆで示すように、導光板１２の出射面１３に対して比較的高角度で斜め下方に向かう場合には、第１の反射シート１５で反射され、第２の反射シート１８の近傍における出射面１３から出射される。
【００１９】
この場合も、図３において矢印Ａで示す光は、入射面１４の法線方向であるので、実際には、第１の反射シート１５の低反射面２０で反射され、その光量が減少する。一方、図３において矢印Ｂ、Ｃで示す光は、入射面１４に対してある程度傾斜しているので、第１の反射シート１５で１００％反射され、その光量が減少することはない。
【００２０】
したがって、３つの発光ダイオード１６の近傍における導光板１２の出射面１３からの出射光量をより一層均一にすることができ、ひいては３つの発光ダイオード１６の近傍における液晶表示パネル１の表示面の明るさをより一層均一にすることができる。
【００２１】
なお、上記実施形態では、第１の反射シート１５および第２の反射シート１８の両方に低反射面２０、１９を形成したが、低反射面２０、１９は第１の反射シート１５または第２の反射シート１８のいずれか一方に形成してもよい。また、低反射面の形成方法は本実施形態の方法に限定されず、適宜な方法で形成すればよいものである
【００２２】
【発明の効果】
以上説明したように、この発明によれば、導光板の出射面側とは反対側に設けられた第１の反射シートまたは複数の点光源およびその近傍の導光板の出射面を覆うように設けられた第２の反射シートの少なくとも一方の各点光源に対応する領域に点光源間に対応する領域よりも低反射率の低反射面を形成しているので、複数の点光源を間隔をおいて配置しても、複数の点光源の近傍における導光板の出射面からの出射光量をなるべく均一にすることができ、ひいては複数の点光源の近傍における表示パネルの表示面の明るさをなるべく均一にすることができる。
【図面の簡単な説明】
【図１】この発明の一実施形態としての液晶表示装置の要部の側面図。
【図２】図１に示すバックライトの平面図。
【図３】図２に示すバックライトの一部の分解平面図。
【図４】図１に示すバックライトの一部の拡大図。
【符号の説明】
１  液晶表示パネル
１１  バックライト
１２  導光板
１５  第１の反射シート
１６  発光ダイオード
１８  第２の反射シート
１９、２０  低反射面
【図１】
2004296372.tif 000003
【図２】
2004296372.tif 000004
【図３】
2004296372.tif 000005
【図４】
2004296372.tif 000006